(57)【要約】【課題】  スポーツ選手が行うテレビカメラのレンズ前のサインと同様の撮像技法を、広く普及している携帯端末装置において簡便かつ安価に実現する技術を提供すること。【解決手段】  レンズ２１を備えて被写体を撮像する携帯端末装置２に装着するための撮影用記入板体１であって、レンズ２１と、被写体との間に介在させ、少なくとも手書きの記載事項を記入可能な略透明な記入板１０と、記入板を携帯端末装置に固定するための支持部１１とを備え、記入板上の記載事項と被写体とを１つの画像内に撮像可能にしたことを特徴とする撮影用記入板体１を提供する。【選択図】図１
2019035908.tif 000002
【特許請求の範囲】
【請求項１】
レンズを備えて被写体を撮像する携帯端末装置に装着するための撮影用記入板体であって、
該レンズと、該被写体との間に介在させ、少なくとも手書きの記載事項を記入可能な略透明な記入板と、
該記入板を該携帯端末装置に固定するための支持部と
を備え、
該記入板上の該記載事項と該被写体とを１つの画像内に撮像可能にしたことを特徴とする撮影用記入板体。
【請求項２】
前記支持部が、
携帯端末装置に脱着可能に固定する固定手段と、
該固定手段と連設され、前記記入板の周縁の少なくとも一部と該固定手段とを連結する連結手段と
から構成される請求項１に記載の撮影用記入板体。
【請求項３】
前記固定手段には前記レンズの位置にレンズを露出するためのレンズ孔を備えると共に、該レンズ孔から偏位した位置に前記連結手段と嵌合する嵌合部を備え、
前記連結手段は、該嵌合部から前記記入板の周縁を支持する支持部分に向けて放射状に、又は段階的に、幅が広くなるように形成される
請求項２に記載の撮影用記入板体。
【請求項４】
前記記入板が、所定の筆記用具によって繰り返し書き込み及び消去が可能に構成される
請求項１ないし３のいずれかに記載の撮影用記入板体。
【請求項５】
前記記入板が、２以上の記入板に交換可能に構成される
請求項１ないし３のいずれかに記載の撮影用記入板体。
【請求項６】
請求項１ないし５のいずれかに記載の撮影用記入板体と、レンズを備えて被写体を撮像する携帯端末装置とから構成される撮影システム。
【請求項７】
前記記入板上の前記記載事項が、使用者によって記入される文字又は図像であって、前記携帯端末装置が記入中の動画像を撮像する請求項６に記載の撮影システム。
【発明の詳細な説明】
【技術分野】
【０００１】
本発明は、被写体を撮像可能な携帯端末装置に装着するための撮影用記入板体及び、それを用いた撮影システムに関する。
【背景技術】
【０００２】
テニス試合の終了時などに、選手がテレビカメラのレンズに向かってペンでサインをする様子が放映されることがある。視聴者にとっては勝利した選手の表情を見ながら、どのような内容が書かれるのか、その一部始終を見ることができるので、映像コンテンツの楽しさを増すことに寄与している。
【０００３】
これはテレビカメラに装着されるフィルターに書き込まれているが、業務用の大口径のレンズに大型のフィルターが備えられているために実現できるものであり、こうした撮像技法を誰でも簡単に実現する器具は提供されていない。
従来技術として、特許文献１には、携帯カメラの画像に写り込む背景を構成する背景構成体を備える構成が開示されている。本文献の技術は、予め印刷された背景を重ねるものであり、本発明のようにスクリーンに書き込むことのできる構造を有していない。
【先行技術文献】
【特許文献】
【０００４】
【特許文献１】特開2014-115432号公報
【発明の概要】
【発明が解決しようとする課題】
【０００５】
本発明は、このような従来技術の有する問題点に鑑みて創出されたものであり、スポーツ選手が行うテレビカメラのレンズ前のサインと同様の撮像技法を、広く普及している携帯端末装置において簡便かつ安価に実現する技術を提供することを目的とする。
【課題を解決するための手段】
【０００６】
本発明は、上記課題を解決するために次のような撮影用記入板体を提供する。すなわち、レンズを備えて被写体を撮像する携帯端末装置に装着するための撮影用記入板体であって、レンズと被写体との間に介在させ、少なくとも手書きの記載事項を記入可能な略透明な記入板と、その記入板を携帯端末装置に固定するための支持部とを備え、記入板上の記載事項と被写体とを１つの画像内に撮像可能にする。
【０００７】
本発明の第２の実施態様によれば、上記の支持部が、携帯端末装置に脱着可能に固定する固定手段と、当該固定手段と連設され、記入板の周縁の少なくとも一部と固定手段とを連結する連結手段とから構成される構成でもよい。
【０００８】
本発明の第３の実施態様によれば、固定手段にはレンズの位置にレンズを露出するためのレンズ孔を備えると共に、そのレンズ孔から偏位した位置に前記連結手段と嵌合する嵌合部を備え、前記の連結手段は、嵌合部から記入板の周縁を支持する支持部分に向けて放射状に、又は段階的に、幅が広くなるように形成される構成でもよい。
【０００９】
本発明の第４の実施態様によれば、上記の記入板が、所定の筆記用具によって繰り返し書き込み及び消去が可能に構成される構成でもよい。
【００１０】
本発明の第５の実施態様によれば、上記の記入板が、２以上の記入板に交換可能に構成される構成でもよい。
【００１１】
本発明の第６の実施態様によれば、上記に開示される撮影用記入板体と、レンズを備えて被写体を撮像する携帯端末装置とから構成される撮影システムとして提供することもできる。
【００１２】
本発明の第７の実施態様によれば、記入板上の記載事項が、使用者によって記入される文字又は図像であって、携帯端末装置が記入中の動画像を撮像する構成でもよい。
【発明の効果】
【００１３】
本発明の撮影用記入板体によれば、広く普及している携帯端末装置、例えばスマートフォンや携帯電話機の撮影機能を利用して、被写体と使用者が記入した記載事項とを１つの画像内に撮像することができ、画像の多様性や娯楽性の向上に寄与する。
【００１４】
本発明の第２の実施態様によれば、携帯端末装置に脱着可能に構成すれば通常の撮影と記入板を用いた撮影とを簡便に使い分けることができる。
【００１５】
また、本発明の第３の実施態様によれば、レンズ位置にレンズ孔を合わせることで位置合わせが容易となり、かつ、凸部分から連結手段を配設することで記入板を安定的に固定することができる。
連結手段の形状は放射状が特に好ましく、画角に応じて最適な記入板の大きさまで漸次幅を広くすることで連結手段が写り込むことなく十分な強度を確保することができる。放射状とせずに段階的に幅を広くすることもでき、その場合でも携帯端末装置側では幅を狭く、記入板近傍では記入板の幅と略同一な幅まで広げることができる。
【００１６】
本発明の第４の実施態様によれば、例えばホワイトボード用筆記用具と、表面が平滑かつ非浸潤性材料の記入板を用いることで繰り返し書き込みと消去ができるので、記入板を繰り返し使うことができる。
【００１７】
本発明の第５の実施態様によれば、記入板を交換可能とすることで支持部は繰り返し使うことができ、かつ記入済みの記入板を保存することもできる。
【００１８】
本発明の第６の実施態様によれば、携帯端末装置と撮影用記入板体を予め一体可した、又は撮影用記入板体を脱着可能にした撮影システムを提供することができる。
【００１９】
本発明の第７の実施態様によれば、使用者が記入する様子を動画で撮影することができるので、多様性や娯楽性に富む動画コンテンツを制作することができる。
【図面の簡単な説明】
【００２０】
【図１】本発明の撮影システムの前方からの斜視図である。
【図２】本発明の撮影システムの後方からの斜視図である。
【図３】本発明の撮影用記入板体の左側面図である。
【図４】本発明の撮影用記入板体の正面図である。
【図５】本発明に係る延長部の斜視図である。
【図６】本発明に係るカバー群及び記入板の構成を示す説明図である。
【発明を実施するための形態】
【００２１】
以下、本発明の実施形態を、図面に示す実施例を基に説明する。なお、実施形態は下記に限定されるものではない。
図１は、本発明の撮影システムの前方からの斜視図、図２は同、後方からの斜視図である。図示されるように、本発明は、撮影用記入板体（１）と、公知のスマートフォン等の携帯端末装置（２）とから構成される。
また、図３には本発明の撮影用記入板体（１）の左側面図、図４には、撮影用記入板体（１）の正面図をそれぞれ示す。
【００２２】
本発明の撮影システムにおいて用いる携帯端末装置（２）はレンズ（２１）を備えて被写体を撮像可能であり、例えばスマートフォンや携帯電話機、携帯型ゲーム機、タブレットコンピュータなどを用いることができる。
携帯端末装置（２）は内部にＣＰＵやメモリ、レンズ（２１）を通して画像を取得するためのイメージセンサ、携帯電話網や無線ＬＡＮと接続するためのネットワークアダプタなどを備える。携帯端末装置（２）の構成は周知であるから説明を省略する。
【００２３】
本発明の実施においては、撮影用記入板体（１）を単体で提供してもよいし、携帯端末装置（２）と予め組み合わせた上で提供してもよい。被写体の撮影には、携帯端末装置（２）に予めインストールされた撮影用アプリケーションを用いてもよいし、撮影用記入板体（１）を効果的に用いるための専用アプリケーションを用いても良い。
【００２４】
撮影用記入板体（１）には、携帯端末装置（２）のレンズ（２１）と、被写体との間に介在させ、少なくとも手書きの記載事項を記入可能な略透明な記入板（１０）と、記入板（１０）を携帯端末装置（２）に固定するための支持部（１１）とを備える。
【００２５】
撮影用記入板体（１）を装着した携帯端末装置（２）で撮影しながら被写体人物が記入板（１０）上にペンなどで記入すると、その記載事項と被写体人物とを１つの画像内に撮像することができる。
ここで、画像は動画像でも静止画像でもよいが、動画像であれば記入する様子を記録されるので、画像の面白みは高まる。
【００２６】
本発明において支持部（１１）の構成は任意である。本実施例では携帯端末装置（２）に脱着可能に固定する固定手段（１２）と、固定手段（１２）と連設され、記入板（１０）の周縁の少なくとも一部と固定手段（１２）とを連結する連結手段（１３）とから構成される。
【００２７】
固定手段（１２）は、携帯端末装置（２）の側面を把持する把持爪部（１２０）（１２１）、該把持爪部（１２０）（１２１）の前面側に連設され、携帯端末装置（２）のレンズ（２１）の部位まで延長する延長部（１２２）から成る。
延長部（１２２）にはレンズ（２１）の位置にレンズを露出するためのレンズ孔（１２３）を備える。
【００２８】
把持爪部（１２０）（１２１）は携帯端末装置（２）を挟む際に間隔を開きながら弾性によって両側面を挟持することが可能であり、使用時の確実な把持に寄与する。なお、特定の携帯端末装置（２）のサイズに合わせて専用のサイズとし、例えば材料の可撓性によって嵌着できるように構成してもよい。
【００２９】
延長部（１２２）は把持爪部（１２０）（１２１）の左右方向の位置を変動可能に構成してもよく、その場合、レンズ（２１）の位置に合わせて左右方向の位置調整をすると共に、把持爪部（１２０）（１２１）が把持する上下方向の位置を調整することにより、レンズ（２１）が携帯端末装置（２）のどの位置にあっても合わせて調整することができる。
【００３０】
本実施例において、把持爪部（１２０）（１２１）と延長部（１２２）との接合部に溝（１２１ａ）が形成されており、延長部（１２２）側の図示されない突起と係合することによってカチカチと移動させることができる。
このような構成によって、本発明の撮影用記入板体（１）は、種類が豊富でモデルチェンジの著しい携帯端末装置（２）への高い適合性を有する。
【００３１】
連結手段（１３）は、レンズ孔（１２３）から放射状に拡がる３方向のカバー体（１３０）（１３１）（１３２）（以下、まとめてカバー群と呼ぶ）から構成される。
すなわち、左側面にはレンズ孔（１２３）から左方向に傾斜したカバー体（１３０）、上面にはレンズ孔（１２３）から上方向に傾斜したカバー体（１３１）、右側面にはレンズ孔（１２３）から右方向に傾斜したカバー体（１３２）を有する。この傾斜はレンズ（２１）の画角よりも広くすることが好ましく、それによってカバー群が写り込むことを防止できる。
【００３２】
図５に延長部（１２２）の斜視図を、図６にカバー群及び記入板の構成を示す。
延長部（１２２）の前面には、左右のカバー体（１３０）（１３２）の基部が嵌合する嵌合部（１２２ａ）（１２２ｂ）を備える。
そして、撮影用記入板体（１）を組み立てる際には、左右のカバー体（１３１）（１３２）を嵌合部（１２２ａ）（１２２ｂ）に差し込み、上側のカバー体（１３１）を被せ、両側の耳部に設けられた連結孔（１３１ａ）（１３１ｂ）を、
左右のカバー体（１３０）（１３２）における連結凸部（１３０ａ）（１３２ａ）に嵌着させることで放射状の立体形状が形成される。
【００３３】
カバー群には平面の変形を防ぐためのリブ部（１３０ｂ）（１３１ｃ）（１３２ｂ）を備えている。上面のカバー体（１３１）のリブ部（１３１ｃ）は図６に示されるように耳部を折り畳んだ時にも干渉せず、また変形しやすい中央部に向かって形成されている。
このようなリブ部を形成することにより、形状の安定性の向上と共に、カバー群の厚みを抑制することができ、軽量化にも寄与する。
【００３４】
本発明において連結手段の態様は任意であり、例えば３枚のカバー群ではなく左右２枚、上下２枚、４面全てなどで形成することもできる。また、本実施例のように面体ではなく棒状で形成してもよい。十分な剛性を持たせて１枚又は１本の連結手段で構成することもできる。
連結手段は、レンズの画角に応じて写り込みを防止するために、嵌合部から記入板の周縁を支持する支持部分に向けて放射状に、又は段階的に、幅が広くなるように形成することが好ましい。
【００３５】
カバー群の前端は記入板（１０）を構成するフレーム部（１００）の背面側に設けられた図示しない溝部に嵌合し、フレーム部（１００）を保持する。
フレーム部（１００）には図２に示されるように上面側に開口部（１０１）を有する２層構造から成り、開口部（１０１）から筆記用具で記入するフィルムを挿入する。
【００３６】
本実施例において開口部（１０１）の背面側にはアクリルパネル（１０２）が配設されており、その前面側にフィルムを挿入することで被写体人物がフィルム上に安定して記入を行うことができる。
記入後のフィルムは取り外して保管することもできる。取り外しに便利なようにフレーム部（１００）には凹部（１００ａ）を備えている。
【００３７】
本発明の別の実施形態として、アクリルパネル（１０２）にホワイトボード用のペンなどで繰り返し書き込み及び消去が可能に構成してもよい。そのために跡の残らない適切な材料を用いることもできる。
【００３８】
以上のような構成を備えて、記入板（１０）には、被写体人物が文字や図像、例えばサインなどを記入することができる。携帯端末装置（２０）により記入中の動画像を撮像することもできる。
【符号の説明】
【００３９】
１  撮影用記入板体
２  携帯端末装置
１０  記入板
１１  支持部
２１  レンズ
【図１】
2019035908.tif 000003
【図２】
2019035908.tif 000004
【図３】
2019035908.tif 000005
【図４】
2019035908.tif 000006
【図５】
2019035908.tif 000007
【図６】
2019035908.tif 000008